(57)【要約】【課題】クリアレンズを採用しながら所望の配光特性を簡単に得ることができ、かつバルブおよびそのソケット部分が露出しない構造の車両用灯火器を提供する。【解決手段】リフレクタ４は、発光バルブ３が中心に配置されて、その周囲に単一放物面状の反射面を有する第１リフレクタ部４１と、前記第１リフレクタ部４１の周囲に反射面を有する第２リフレクタ部４２とを含み、前記第２リフレクタ部４２は、多数のカット面を含んで配光機能を備えたマルチリフレクタである。クリアレンズ２と発光バルブ３との間には、レンズカットが施された中間レンズ５が、前記第１リフレクタ部４１と対向する位置で左右一対のアーム部材６により支持されている。【選択図】図２
2006221848.tif 000002
【特許請求の範囲】
【請求項１】
発光バルブ、リフレクタおよびレンズから構成される車両用灯火器において、
前記リフレクタが、
発光バルブの周囲に反射面を有する第１リフレクタ部と、
前記第１リフレクタ部の周囲に反射面を有する第２リフレクタ部とを含み、
前記第２リフレクタ部がマルチリフレクタであり、
前記レンズが、
前記第１リフレクタ部の反射光を透過させる第１レンズ部と、
前記第２リフレクタ部の反射光を透過させる第２レンズ部とを含み、
前記第１レンズ部にレンズカットが施されていることを特徴とする車両用灯火器。
【請求項２】
前記レンズが、光軸方向に第１レンズ部を内側、第２レンズ部を外側に重ねて構成され、前記第２レンズ部がクリアレンズであることを特徴とする請求項１に記載の車両用灯火器。
【請求項３】
前記レンズが単一構造であり、第１レンズ部の周囲に第２レンズ部が形成されたことを特徴とする請求項１に記載の車両用灯火器。
【請求項４】
前記第１レンズを、その左右端部で支持し、光軸に沿って略平行なアーム部材をさらに具備したことを特徴とする請求項２に記載の車両用灯火器。
【請求項５】
前記第２リフレクタの周囲に目隠しパネルが配置され、
前記目隠しパネルおよびアーム部材が前記リフレクタに対して共締めされたことを特徴とする請求項４に記載の車両用灯火器。
【発明の詳細な説明】
【技術分野】
【０００１】
本発明は車両用灯火器に係り、特に、前照灯に好適な車両用灯火器に関する。
【背景技術】
【０００２】
車両には前照灯、尾灯、制動灯および方向指示灯などの各種の灯火器が装備され、これらの車両灯火器には、高い投光効率や視認性と共に優れた美観が要求される。特許文献１には、方向指示灯（ウインカランプ）のレンズを、バルブに臨む中央部のみクリアレンズとし、その周囲にレンズカットを施して散乱機能と共に目隠し機能を持たせることで、高い投光効率と美観とを両立させる技術が開示されている。
【０００３】
一方、前照灯は車両正面に装備されることから美観やデザインに与える影響が大きいのみならず、光量が大きいので配光特性に十分な配慮が必要となる。従来の前照灯ではリフレクタ（反射鏡）を単一放物面状とし、正面レンズに加工を施して配光特性を調整していた。これに対して、正面レンズをクリアレンズとし、リフレクタとして多数のカット面や自由曲面を備えたマルチリフレクタを採用して配光特性を調整する構造も提案されている。
【特許文献１】特許公報第３５８０５１６号公報
【発明の開示】
【発明が解決しようとする課題】
【０００４】
しかしながら、クリアレンズとマルチリフレクタとを組み合わせて構成される従来の前照灯では、配光特性をマルチリフレクタのカット面や曲率のみで調整しなければならないので、所望の配光特性を得ることが難しかった。また、上記した従来の前照灯では、バルブおよびそのソケット部分が露出してしまうので、美観が損なわれてしまうという技術課題もあった。
【０００５】
本発明の目的は、上記した従来技術の課題を解決し、クリアレンズを採用しながら所望の配光特性を簡単に得ることができ、かつバルブおよびそのソケット部分が露出せず、美観的にも優れた構造の車両用灯火器を提供することにある。
【課題を解決するための手段】
【０００６】
上記した目的を達成するために、本発明は、発光バルブ、リフレクタおよびレンズから構成される車両用灯火器において、以下のような手段を講じた点に特徴がある。
(1)前記リフレクタが、発光バルブの周囲に反射面を有する第１リフレクタ部と、前記第１リフレクタ部の周囲に反射面を有する第２リフレクタ部とを含み、前記第２リフレクタ部がマルチリフレクタであり、前記レンズが、第１リフレクタ部の反射光を透過させる第１レンズ部と、第２リフレクタ部の反射光を透過させる第２レンズ部とを含み、前記第１レンズ部にレンズカットが施されていることを特徴とする。
(2)前記レンズが、光軸方向に第１レンズ部を内側、第２レンズ部を外側に重ねて構成され、前記第２レンズ部がクリアレンズであることを特徴とする。
(3)前記レンズが単一構造であり、第１レンズ部の周囲に第２レンズ部が形成されたことを特徴とする。
(4)前記第１レンズを、その左右端部で支持し、光軸に沿って略平行なアーム部材をさらに具備したことを特徴とする。
(5)前記第２リフレクタの周囲に目隠しパネルが配置され、前記目隠しパネルおよびアーム部材が前記リフレクタに対して共締めされたことを特徴とする。
【発明の効果】
【０００７】
本発明によれば、以下のような効果が達成される。
(1)請求項１の発明によれば、第２リフレクタ（マルチリフレクタ）の反射面よって形成される配光、及び第１リフレクタを介して第１レンズ（カットレンズ）に入射されて形成される配光によって、光源からの配光特性を別々に調整できるので、灯具全体としての配光の調整幅が広くなり、その結果、所望の配光特性に合わせた適切な配光調整が容易に可能になる。
(2)請求項２の発明によれば、第１レンズ（カットレンズ）を交換するだけで、第２リフレクタによる配光特性とは独立して配光調整が可能になる。すなわち、本発明によれば、例えば主な配光特性を第２リフレクタで形成し、第２リフレクタで行うことが困難な微細な配光調整を、第１レンズの配光特性で行うことができる。また、本発明では、光源の光軸方向正面であって、この光源と正対する位置に第１レンズが配置されている。このため、本発明によれば、レンズカットの施されていないクリアレンズを採用しながら発光バルブを目隠し（外から視認しにくく）できる。
(3)請求項３の発明によれば、それぞれ異なる配光を形成するレンズを１枚で構成できるので部品点数を削減できる。
(4)請求項４の発明によれば、第１レンズを左右端で支持するアーム部位が、光軸に沿って略平行に（照射方向と直交する方向から見て薄くなるように）作られている。このため、本発明によれば、第１レンズを指示するアーム部材による遮光量を最小限に抑えられる。
(5)請求項５の発明によれば、目隠しパネルおよびアーム部材を別々に固定する場合に比べて固定部材の数を削減でき、また組立工数も減じることができる。
【発明を実施するための最良の形態】
【０００８】
以下、図面を参照して本発明の好ましい実施の形態について詳細に説明する。図１は、本発明を適用した前照灯の第１実施形態の斜視図であり、図２はその正面図であり、図３は図２のＡＡ線断面図であり、図４は図２のＢＢ線断面図である。
【０００９】
本発明の前照灯１は、レンズカットが施されていないクリアレンズ２、発光バルブ３およびリフレクタ４を主要な構成とし、その周囲はフロントカウル１０で囲まれている。前記リフレクタ４は、発光バルブ３が中心に配置されて、その周囲に単一放物面状の反射面を有する第１リフレクタ部４１と、前記第１リフレクタ部４１の周囲に反射面を有する第２リフレクタ部４２とを含む。前記第２リフレクタ部４２は、多数のカット面または自由曲面が形成されて配光機能を備えたマルチリフレクタである。
【００１０】
前記クリアレンズ２と発光バルブ３との間には、レンズカットの施された中間レンズ５が、前記第１リフレクタ部４１と対向する位置で左右一対のアーム部材６により支持されている。すなわち、本実施形態のレンズは、光軸方向において中間レンズ５を内側（光源側）、クリアレンズ２を外側（照射方向側）に重ねて構成されている。本実施形態では、前記アーム部材６が光軸に沿って略平行な姿勢で中間レンズ５を支持しているので、中間レンズ５を設けたことによる遮光量を最小限に抑えられるようになる。
【００１１】
また、前照灯１では前記第２リフレクタ部４２の前記発光バルブ３よりも下側位置にポジションランプ７が配置されている。また、本実施形態では前照灯１を正面から見た場合、その内側形状と第２リフレクタ部４２の形状とが合致していないので、両者の隙間を隠すための目隠しパネル８が、前記第２リフレクタ部４２の左右上部に配置されている。
【００１２】
図５は、前記第１リフレクタ部４１の機能を説明するための断面図であり、前記と同一の符号は同一または同等部分を表している。
【００１３】
上記したように、本実施形態ではリフレクタ４が２つの部分から構成され、その立体角を自由に設定できる。したがって、特に第１リフレクタ部４１に関しては、図５に示したように立体角を大きく取ることにより、より多くの反射光を中間レンズ５に入射させることができるようになる。
【００１４】
前照灯１の外周部には、図３，４に示したように、リフレクタ４の縁部近傍を加工して形成された溝４ａが環状に配置されている。前記溝４ａ内には、断面が略凹状の弾性シーリング部材（たとえば、Ｏリング）９１が差し込まれており、クリアレンズ２の端部２ａが前記溝４ａ内に挿貫されて前記シーリング部材９１に当接され、当該シーリング部材９１により液密に封止されている。
【００１５】
図６は図２のＣＣ線断面図であり、前記と同一の符号は同一または同等部分を表している。本実施形態では、クリアガラス２の端部近傍の内側にリブ２ｃが設けられ、リフレクタ４の前記クリアガラス２のリブ２ｃと対向する位置よりも内側に、段差部４ｃが設けられており、前記目隠しパネル８は、その周囲を前記リブ２ｃおよび段差部４ｃの２点で挟持されている。
【００１６】
図７は図２のＤＤ線断面図であり、前記と同一の符号は同一または同等部分を表している。前記目隠しパネル８およびアーム部材６の端部は、前記シーリング部材９１により封止された領域内で前記リフレクタ４に対してネジ９２により共締め固定されている。このように、本実施形態では目隠しパネル８およびアーム部材６をリフレクタ４に対して共締めするようにしたので、目隠しパネル８およびアーム部材６を別々に固定する場合に比べて固定部材の数量を減じることができ、その組立工数も削減できるようになる。
【００１７】
このような構成の前照灯１において、発光バルブ３から放出された光線の一部は第１リフレクタ部４１で反射され中間レンズ５に入射し、当該中間レンズ５において所望の配光に制御された後にクリアレンズ２を透過して前方へ照射される。また、発光バルブ３から放出された光線の他の一部は、第２リフレクタ部４２で所望の配光に制御された後にクリアレンズ２へ入射し、これをそのまま透過して前方へ照射される。
【００１８】
本実施形態によれば、配光特性をマルチリフレクタ４２および中間レンズ５（カットレンズ）によって別々に調整できるので配光の調整幅が広くなり、その結果、所望の配光特性に合わせた配光調整が可能になる。また、中間レンズ５を交換するたけで配光調整が可能になるのみならず、クリアレンズを採用しながら発光バルブ３やそのソケット部分を目隠しできるようになる。
【００１９】
次に、本発明の第２実施形態について説明する。上記した第１実施形態ではレンズを２つ設け、光軸方向に中間レンズ５を内側、クリアレンズ２を外側にして両者が重ねられるものとして説明したが、本発明はこれのみに限定されるものではなく、図８の斜視図に一例を示したように、外側に配置されるクリアレンズ２の中央部に中間レンズ９を一体的に形成しても良い。本実施形態によれば、上記した第１実施形態に比べてレンズの数を削減できるようになる。
【図面の簡単な説明】
【００２０】
【図１】本発明を適用した前照灯の第１実施形態の斜視図である。
【図２】図１に示した前照灯の正面図である。
【図３】図２のＡＡ線断面図である。
【図４】図２のＢＢ線断面図である。
【図５】第１リフレクタ部４１の機能を説明するための断面図である。
【図６】図２のＣＣ線断面図である。
【図７】図２のＤＤ線断面図である。
【図８】本発明を適用した前照灯の第２実施形態の斜視図である。
【符号の説明】
【００２１】
１…前照灯，２…クリアレンズ，２ｃ…リブ，３…発光バルブ，４…リフレクタ，４ａ…凹部，４ｃ…段差部，５…中間レンズ，６…アーム部材，７…ポジションランプ，８…目隠しパネル，４１…第１リフレクタ部，４２…第２リフレクタ部，９１…弾性シーリング部材
【図１】
2006221848.tif 000003
【図２】
2006221848.tif 000004
【図３】
2006221848.tif 000005
【図４】
2006221848.tif 000006
【図５】
2006221848.tif 000007
【図６】
2006221848.tif 000008
【図７】
2006221848.tif 000009
【図８】
2006221848.tif 000010